(57)【要約】【課題】部分発光動作を行うエッジライト型の光源部を用いて映像表示を行う際に、表示画質を向上させることが可能な液晶表示装置を提供する。【解決手段】部分発光動作を行うエッジライト型のバックライト３を用いた映像表示の際に、部分駆動化処理部４２が、導光板３０の２対の側面のうちのＸ軸方向の側面側の光源３１のうちの少なくとも１つと、Ｙ軸方向の側面側の光源３２のうちの少なくとも１つとがともに発光することによって部分発光領域３６が形成されるように、発光駆動を行う。バックライト３の光出射面における光源３１，３２からの距離に応じた輝度減少が低減され、表示画面内の表示輝度むらが抑えられる。【選択図】図１１
2011203323.tif 000002
【特許請求の範囲】
【請求項１】
光出射面および対向する２対の側面を有する矩形状の導光板と、この導光板の前記２対の側面のうちの、一方の対の少なくとも１つの側面側に配設された複数の第１光源と、他方の対の少なくとも１つの側面側に配設された複数の第２光源とを含み、互いに独立して制御可能な複数の部分発光部が前記光出射面上に形成されるように構成された光源部と、
複数の画素を含んで構成され、前記光源部から前記部分発光部単位で射出された光を入力映像信号に基づいて変調することにより映像表示を行う液晶表示パネルと、
前記入力映像信号に基づいて、前記光源部における前記部分発光部単位での発光パターンを示す発光パターン信号と、部分駆動用映像信号とをそれぞれ生成する部分駆動化処理部を有し、前記発光パターン信号を用いて前記光源部の各光源に対する発光駆動を行うと共に、前記部分駆動用映像信号を用いて前記液晶表示パネルの各画素に対する表示駆動を行う表示制御部と
を備え、
前記表示制御部は、前記複数の第１光源のうちの少なくとも１つと、前記複数の第２光源のうちの少なくとも１つとが、ともに発光することによって前記部分発光部が形成されるように、前記発光駆動を行う
液晶表示装置。
【請求項２】
前記部分駆動化処理部は、
前記複数の第１光源のみを用いてそれらの第１光源の配列方向に沿った複数の部分発光部が形成される場合を想定して、前記入力映像信号に基づいて第１の低解像度化信号を生成すると共に、
前記複数の第２光源のみを用いてそれらの第２光源の配列方向に沿った複数の部分発光部が形成される場合を想定して、前記入力映像信号に基づいて第２の低解像度化信号を生成し、
前記第１および第２の低解像度化信号の双方を用いて、前記発光パターン信号および前記部分駆動用信号をそれぞれ生成する
請求項１に記載の液晶表示装置。
【請求項３】
前記第１光源が、前記一方の対の各側面側に配設されると共に、前記第２光源が、前記他方の対の各側面側に配設され、
前記表示制御部は、前記一方の対の各側面側の第１光源がともに発光すると共に、前記他方の対の各側面側の第２光源がともに発光するように、前記発光駆動を行い、
前記部分駆動化処理部は、対向する側面間に形成される一対の部分発光部の双方を考慮して、前記第１および第２の低解像度化信号をそれぞれ生成する
請求項２に記載の液晶表示装置。
【請求項４】
前記第１光源が、前記一方の対の各側面側に配設されると共に、前記第２光源が、前記他方の対の各側面側に配設され、
前記表示制御部は、前記一方の対の各側面側の第１光源がともに発光すると共に、前記他方の対の各側面側の第２光源がともに発光するように、前記発光駆動を行う
請求項１または請求項２に記載の液晶表示装置。
【請求項５】
前記光源が、発光ダイオード（ＬＥＤ）である
請求項１ないし請求項３のいずれか１項に記載の液晶表示装置。
【発明の詳細な説明】
【技術分野】
【０００１】
本発明は、いわゆるエッジライト型の光源部を備えた液晶表示装置に関する。
【背景技術】
【０００２】
近年、薄型テレビ、携帯端末装置のディスプレイとして、画素毎にＴＦＴ（Thin Film Transistor；薄膜トランジスタ）を設けたアクティブマトリクス型の液晶表示装置（ＬＣＤ；Liquid Crystal Display）が多く用いられている。このような液晶表示装置では、一般に、画面上部から下部に向かって、各画素の補助容量素子および液晶素子に映像信号が線順次に書き込まれることにより各画素が駆動される。
【０００３】
液晶表示装置に用いられるバックライトとしては、光源に冷陰極管（ＣＣＦＬ；Cold Cathode Fluorescent Lamp）を用いたものが主流であるが、近年では発光ダイオード（ＬＥＤ；Light Emitting Diode）を用いたものも登場してきている（例えば、特許文献１参照）。
【０００４】
このようなＬＥＤ等をバックライトとして用いた液晶表示装置では、従来より、光源部を複数の部分発光部に分割して構成し、この部分発光部単位で独立して発光動作を行う（部分発光動作を行う）ようにしたものが提案されている（例えば、特許文献２参照）。
【先行技術文献】
【特許文献】
【０００５】
【特許文献１】特開２００９−１５７４００号公報
【特許文献２】特開２００１−１４２４０９号公報
【発明の概要】
【発明が解決しようとする課題】
【０００６】
ところで、近年では液晶表示装置全体としての薄型化を図るため、従来のいわゆる直下型のバックライトの代わりに、いわゆるエッジライト型のバックライトが採用され始めている（例えば、特許文献１参照）。このエッジライト型のバックライトでは、導光板の側面側にＬＥＤ等の光源が配置されており、導光板に光出射面が形成されるようになっている。
【０００７】
このようなエッジライト型のバックライトでは、一般に、全ての光源が同じ発光強度で発光した場合に、光出射面内の輝度むらがなるべく生じないように設計されている。したがって、そのような場合には、表示画面内でも表示輝度むらはほとんど生じないようになっている。
【０００８】
ところが、このエッジライト型のバックライトを用いた液晶表示装置において、低消費電力化や高コントラスト化を図ること等を目的として、従来の直下型のバックライトにおける部分発光動作をそのまま適用した場合、以下の問題が生じると考えられる。
【０００９】
すなわち、まず、エッジライト型のバックライトにおいて従来の部分発光動作を行うと、光出射面において、光源からの距離に応じた輝度減少が発生する。例えば、光源から遠い位置である光出射面の中央部付近では、端部付近と比べて発光輝度が低くなってしまう。そして、このような光源からの距離に応じた輝度減少が生じると、表示画面内に表示輝度むらが発生してしまうため、表示画質の低下を招くことになる。
【００１０】
本発明はかかる問題点に鑑みてなされたもので、その目的は、部分発光動作を行うエッジライト型の光源部を用いて映像表示を行う際に、表示画質を向上させることが可能な液晶表示装置を提供することにある。
【課題を解決するための手段】
【００１１】
本発明の液晶表示装置は、光出射面および対向する２対の側面を有する矩形状の導光板と、この導光板の２対の側面のうちの、一方の対の少なくとも１つの側面側に配設された複数の第１光源と、他方の対の少なくとも１つの側面側に配設された複数の第２光源とを含み、互いに独立して制御可能な複数の部分発光部が光出射面上に形成されるように構成された光源部と、複数の画素を含んで構成され、光源部から部分発光部単位で射出された光を入力映像信号に基づいて変調することにより映像表示を行う液晶表示パネルと、上記入力映像信号に基づいて、光源部における部分発光部単位での発光パターンを示す発光パターン信号と、部分駆動用映像信号とをそれぞれ生成する部分駆動化処理部を有し、発光パターン信号を用いて光源部の各光源に対する発光駆動を行うと共に、部分駆動用映像信号を用いて液晶表示パネルの各画素に対する表示駆動を行う表示制御部とを備えたものである。この表示制御部は、複数の第１光源のうちの少なくとも１つと、複数の第２光源のうちの少なくとも１つとが、ともに発光することによって部分発光部が形成されるように、発光駆動を行う。
【００１２】
本発明の液晶表示装置では、導光板の２対の側面のうちの、一方の対の少なくとも１つの側面側に配設された複数の第１光源と、他方の対の少なくとも１つの側面側に配設された複数の第２光源とにより、互いに独立して制御可能な複数の部分発光部が、光源部の光出射面上に形成される。すなわち、光源部が、部分発光動作が可能なエッジライト型の構造となっている。また、入力映像信号に基づいて、光源部における部分発光部単位での発光パターンを示す発光パターン信号と、部分駆動用映像信号とがそれぞれ生成される。そして、発光パターン信号を用いて光源部の各光源に対する発光駆動が行われると共に、部分駆動用映像信号を用いて液晶表示パネルの各画素に対する表示駆動が行われる。この際、複数の第１光源のうちの少なくとも１つと、複数の第２光源のうちの少なくとも１つとがともに発光することによって部分発光部が形成されるように、発光駆動がなされる。これにより、部分発光動作を行うエッジライト型の光源部において、例えば、各部分発光部に対応する１つの側面側の光源のみが発光することにより部分発光部が形成される場合と比べ、光出射面における光源からの距離に応じた輝度減少が低減され、表示画面内の表示輝度むらが抑えられる。
【発明の効果】
【００１３】
本発明の液晶表示装置によれば、部分発光動作を行うエッジライト型の光源部を用いた映像表示の際に、導光板の２対の側面のうちの、一方の対の少なくとも１つの側面側に配設された複数の第１光源のうちの少なくとも１つと、他方の対の少なくとも１つの側面側に配設された複数の第２光源のうちの少なくとも１つとが、ともに発光することによって部分発光部が形成されるように発光駆動を行うようにしたので、光出射面における光源からの距離に応じた輝度減少を低減し、表示画面内の表示輝度むらを抑えることができる。よって、部分発光動作を行うエッジライト型の光源部を用いて映像表示を行う際に、表示画質を向上させることが可能となる。
【図面の簡単な説明】
【００１４】
【図１】本発明の一実施の形態に係る液晶表示装置の全体構成を表すブロック図である。
【図２】図１に示した画素の詳細構成例を表す回路図である。
【図３】図１に示したバックライトの詳細構成を模式的に表す平面図である。
【図４】図１に示した液晶表示装置における部分発光領域および部分照射領域の一例を模式的に表す分解斜視図である。
【図５】図１に示した部分駆動化処理部の詳細構成を表すブロック図である。
【図６】図１に示した液晶表示装置におけるバックライトの部分発光動作の概要を表す模式図である。
【図７】比較例１〜３に係る液晶表示装置における部分駆動化処理部の構成を表すブロック図である。
【図８】比較例１に係るバックライトにおける部分発光動作の一例を表す模式図である。
【図９】比較例２，３に係るバックライトにおける部分発光動作の一例を表す模式図である。
【図１０】比較例１〜３に係る部分発光動作の際の低解像度化信号の生成動作の一例を表す模式図である。
【図１１】実施の形態に係るバックライトにおける部分発光動作の一例を表す模式図である。
【図１２】実施の形態に係る部分発光動作の際の低解像度化信号の生成動作の一例を表す模式図である。
【図１３】本発明の変形例に係るバックライトにおける部分発光動作の一例を表す模式図である。
【図１４】変形例に係る部分発光動作の際の低解像度化信号の生成動作の一例を表す模式図である。
【図１５】本発明の他の変形例に係るバックライトにおける部分発光動作の一例を表す模式図である。
【発明を実施するための形態】
【００１５】
以下、本発明の実施の形態について、図面を参照して詳細に説明する。なお、説明は以下の順序で行う。
１．実施の形態（エッジライト型のバックライトにおいて、異なる方向に沿った側面側に配設された第１，第２光源がともに発光することにより、部分発光部が形成される例）
２．変形例（対向する側面側の１対の光源の双方を考慮して低解像度化信号を生成する例）
【００１６】
＜実施の形態＞
［液晶表示装置１の全体構成］
図１は、本発明の一実施の形態に係る液晶表示装置（液晶表示装置１）の全体のブロック構成を表すものである。
【００１７】
液晶表示装置１は、外部から入力される入力映像信号Ｄin（後述する各画素２０の画素信号からなる映像信号）に基づいて、映像表示を行うものである。この液晶表示装置１は、液晶表示パネル２、バックライト３（光源部）、映像信号処理部４１、部分駆動化処理部４２、タイミング制御部４３、バックライト駆動部５０、データドライバ５１およびゲートドライバ５２を有している。これらのうち、映像信号処理部４１、部分駆動化処理部４２、タイミング制御部４３、バックライト駆動部５０、データドライバ５１およびゲートドライバ５２が、本発明における「表示制御部」の一具体例に対応している。
【００１８】
液晶表示パネル２は、後述するバックライト３から射出された光を入力映像信号Ｄinに基づいて変調することにより、この入力映像信号Ｄinに基づく映像表示を行うものである。この液晶表示パネル２は、全体としてマトリクス状に配列された複数の画素２０を含んでいる。
【００１９】
図２は、各画素２０内の画素回路の回路構成例を表したものである。画素２０は、液晶素子２２、ＴＦＴ素子２１および補助容量素子２３を有している。この画素２０には、駆動対象の画素を線順次で選択するためのゲート線Ｇと、駆動対象の画素に対して映像電圧（後述するデータドライバ５１から供給される映像電圧）を供給するためのデータ線Ｄと、補助容量線Ｃｓとが接続されている。
【００２０】
液晶素子２２は、データ線ＤからＴＦＴ素子２１を介して一端に供給される映像電圧に応じて、表示動作を行うものである。この液晶素子２２は、例えばＶＡ（Vertical Alignment）モードやＴＮ（Twisted Nematic）モードの液晶よりなる液晶層（図示せず）を、一対の電極（図示せず）で挟み込んだものである。液晶素子２２における一対の電極のうちの一方（一端）は、ＴＦＴ素子２１のドレインおよび補助容量素子２３の一端に接続され、他方（他端）は接地されている。補助容量素子２３は、液晶素子２２の蓄積電荷を安定化させるための容量素子である。この補助容量素子２３の一端は、液晶素子２２の一端およびＴＦＴ素子２１のドレインに接続され、他端は補助容量線Ｃｓに接続されている。ＴＦＴ素子２１は、液晶素子２２および補助容量素子２３の一端同士に対し、映像信号Ｄ１に基づく映像電圧を供給するためのスイッチング素子であり、ＭＯＳ−ＦＥＴ（Metal Oxide Semiconductor−Field Effect Transistor）により構成されている。このＴＦＴ素子２１のゲートはゲート線Ｇ、ソースはデータ線Ｄにそれぞれ接続されると共に、ドレインは液晶素子２２および補助容量素子２３の一端同士に接続されている。
【００２１】
（バックライト３）
バックライト３は、液晶表示パネル２に対して光を照射する光源部であり、例えば発光素子（光源）として、ＣＣＦＬやＬＥＤなどを用いて構成されている。バックライト３は、後述するように、入力映像信号Ｄinの内容（映像パターン）に応じた発光駆動がなされるようになっている。
【００２２】
図３は、バックライト３の詳細構成を模式的に平面図で表したものである。このバックライト３は、光出射面を形成する矩形状の導光板３０と、この導光板３０の側面（光出射面の側面）側に配設された複数の光源３１（第１光源），３２（第２光源）とを含んで構成されている。具体的には、図３（Ａ），（Ｂ）に示した例では、矩形状の導光板３０における対向する２対の側面（上下左右方向の側面）のうち、Ｘ軸方向に沿った１対の側面（上下方向の側面）の各側に、複数（ここでは４つ）の光源３１が配設されている。また、Ｙ軸方向に沿った１対の側面（左右方向の側面）の各側に、複数（ここでは４つ）の光源３２が配設されている。
【００２３】
このような構成によりバックライト３では、例えば図３および図４に示したように、互いに独立して制御可能な複数の部分発光領域３６（部分発光部）が、導光板３０の光出射面上に形成されるようになっている。すなわち、このバックライト３は、部分駆動方式の（部分発光動作が可能な）エッジライト型のバックライトとなっている。具体的には、バックライト３における光出射面では、面内方向に発光領域が縦ｎ×横ｍ＝Ｋ個（ｎ，ｍ＝２以上の整数）に分割されている。なお、この分割数は、上記した液晶表示パネル２における画素２０よりも低解像度のものとなっている。また、図４に示したように、液晶表示パネル２には、各部分発光領域３６に対応する複数の部分照射領域２６が形成されるようになっている。
【００２４】
このバックライト３ではまた、例えば図３（Ｂ）に示したように、導光板３０におけるＸ軸方向の側面側に配設された複数の光源３１のうちの少なくとも１つと、Ｙ軸方向の側面側に配設された複数の光源３２のうちの少なくとも１つとにより、部分発光領域３６が形成されるようになっている。すなわち、Ｘ軸方向の側面側の光源３１と、Ｙ軸方向の側面側の光源３２とがともに発光することにより、部分発光領域３６が形成される。なお、このような光源３１，３２の双方を用いた部分発光領域３６の形成手法の詳細については、後述する。
【００２５】
バックライト３は、入力映像信号Ｄinの内容（映像パターン）に応じて、部分発光領域３６ごとに独立した発光制御が可能とされている。また、バックライト３における光源３１，３２はそれぞれ、例えば、赤色光を発する赤色ＬＥＤと、緑色光を発する緑色ＬＥＤと、青色光を発する青色ＬＥＤとの各色のＬＥＤを組み合わせて構成することができる。ただし、光源として用いられるＬＥＤの種類としてはこれには限られず、例えば白色光を発する白色ＬＥＤを用いるようにしてもよい。なお、光源３１，３２はそれぞれ、このような光源が少なくとも１つずつ用いられることにより構成されている。
【００２６】
映像信号処理部４１は、各画素２０の画素信号からなる入力映像信号Ｄinに対して、例えば高画質化のための所定の画像処理（例えば、シャープネス処理やガンマ補処理など）を行うことにより、映像信号Ｄ１を生成するものである。なお、このようにして生成される映像信号Ｄ１もまた、入力映像信号Ｄinと同様に各画素２０の画素信号により構成されている。
【００２７】
部分駆動化処理部４２は、映像信号処理部４１から供給される映像信号Ｄ１に対して所定の部分駆動化処理を行うものである。これにより、バックライト３における部分発光領域３６単位での発光パターンを示す発光パターン信号ＢＬ１と、部分駆動用映像信号Ｄ４とをそれぞれ生成するようになっている。具体的には、部分駆動化処理部４２は、前述したように、導光板３０におけるＸ軸方向の側面側の光源３１と、Ｙ軸方向の側面側の光源３２とがともに発光して部分発光動作がなされるように、発光パターン信号ＢＬ１および部分駆動用映像信号Ｄ４をそれぞれ生成する。なお、この部分駆動化処理部４２の詳細構成については後述する（図５）。
【００２８】
タイミング制御部４３は、バックライト駆動部５０、ゲートドライバ５２およびデータドライバ５１の駆動タイミングを制御すると共に、部分駆動化処理部４２から供給される部分駆動用映像信号Ｄ４をデータドライバ５１へ供給するものである。
【００２９】
ゲートドライバ５２は、タイミング制御部４３によるタイミング制御に従って、液晶表示パネル２内の各画素２０を、前述したゲート線Ｇに沿って線順次駆動するものである。一方、データドライバ５１は、液晶表示パネル２の各画素２０へそれぞれ、タイミング制御部４３から供給される、部分駆動用映像信号Ｄ４に基づく映像電圧を供給するものである。具体的には、部分駆動用映像信号Ｄ４に対してＤ／Ａ（デジタル／アナログ）変換を施すことにより、アナログ信号である映像信号（上記映像電圧）を生成し、各画素２０へ出力する。このようにして、部分駆動用映像信号Ｄ４に基づく表示駆動が、液晶表示パネル２内の各画素２０に対してなされるようになっている。
【００３０】
バックライト駆動部５０は、タイミング制御部４３によるタイミング制御に従って、部分駆動化処理部４２から出力される発光パターン信号ＢＬ１に基づく、バックライト３内の各光源３１，３２（各部分発光領域３６）に対する発光駆動（点灯駆動）を行うものである。
【００３１】
［部分駆動化処理部４２の詳細構成］
次に、図５を参照して、部分駆動化処理部４２の詳細構成について説明する。図５は、部分駆動化処理部４２のブロック構成を表したものである。この部分駆動化処理部４２は、低解像度化処理部４２２、ＢＬレベル算出部４２３、拡散部４２４およびＬＣＤレベル算出部４２５を有している。
【００３２】
低解像度化処理部４２２は、映像信号Ｄ１に対して所定の低解像度化処理を行うことにより、前述した発光パターン信号ＢＬ１の基となる映像信号Ｄ３を生成するものである。具体的には、画素２０単位の輝度レベル信号（画素信号）により構成される映像信号Ｄ２を、画素２０と比べて低解像度である部分発光領域３６単位での輝度レベル信号に再構成することにより、映像信号Ｄ３を生成する。この際、低解像度化処理部４２２は、後述する特徴量抽出部（特徴量抽出部４２２Ａ，４２２Ｂ）において、各部分発光領域３６内の複数の画素信号から所定の特徴量（例えば、輝度レベルの最大値や平均値、それらの合成値など）を抽出することにより、再構築を行う。
【００３３】
より具体的には、低解像度化処理部４２２はこのとき、光源３１のみを用いてＸ軸方向（光源３１の配列方向）に沿った複数の部分発光領域３６が形成される場合を想定して、映像信号Ｄ１に基づいて映像信号Ｄ３ｘ（第１の低解像度化信号）を生成する。また、それと共に、光源３２のみを用いてＹ軸方向（光源３２の配列方向）に沿った複数の部分発光領域３６が形成される場合を想定して、映像信号Ｄ１に基づいて映像信号Ｄ３ｙ（第２の低解像度化信号）を生成する。すなわち、上記した映像信号Ｄ３は、これらの映像信号Ｄ３ｘ，Ｄ３ｙから構成されるようになっている。なお、この低解像度化処理部４２２の詳細動作については後述する。
【００３４】
ＢＬレベル算出部４２３は、部分発光領域３６単位での輝度レベル信号である映像信号Ｄ３（Ｄ３ｘ，Ｄ３ｙ）に基づいて、部分発光領域３６ごとの発光輝度レベルを算出することにより、部分発光領域３６単位での発光パターンを示す発光パターン信号ＢＬ１を生成するものである。具体的には、部分発光領域３６ごとに映像信号Ｄ３の輝度レベルを解析することにより、各領域の輝度レベルに応じた発光パターンを得ることが可能となっている。特に本実施の形態では、ＢＬレベル算出部４２３は、上記した２種類の映像信号Ｄ３ｘ，Ｄ３ｙの双方を用いて、発光パターン信号ＢＬ１（ＢＬ１ｘ（Ｘ軸方向に沿った発光パターン信号），ＢＬ１ｙ（Ｙ軸方向に沿った発光パターン信号））を生成するようになっている。
【００３５】
拡散部４２４は、ＢＬレベル算出部４２３から出力される発光パターン信号ＢＬ１に対して所定の拡散処理を行い、拡散処理後の発光パターン信号ＢＬ２をＬＣＤレベル算出部４２５へ出力するものであり、部分発光領域３６単位の信号から画素２０単位の信号への変換を行っている。この拡散処理は、バックライト３内の実際の光源３１，３２における輝度分布（光源からの光の拡散分布）を考慮してなされる処理である。
【００３６】
ＬＣＤレベル算出部４２５は、映像信号Ｄ１と、拡散処理後の発光パターン信号ＢＬ２とに基づいて、部分駆動用映像信号Ｄ４を生成するものである。具体的には、映像信号Ｄ１の信号レベルを拡散処理後の発光パターン信号ＢＬ２で除算することにより、映像信号Ｄ４を生成している。詳細には、ＬＣＤレベル算出部４２５は以下の（１）式を用いて、映像信号Ｄ４を生成するようになっている。
Ｄ４＝（Ｄ１／ＢＬ２）  ……（１）
【００３７】
ここで、上記（１）式により、原信号（映像信号Ｄ１）＝（発光パターン信号ＢＬ２×部分駆動用映像信号Ｄ４）という関係が得られる。このうち、（発光パターン信号ＢＬ２×部分駆動用映像信号Ｄ４）の物理的意味は、ある発光パターンで点灯されたバックライト３における各部分発光領域３６の画像イメージに、部分駆動用映像信号Ｄ４の画像イメージを重ね合わせるというものである。これにより、液晶表示パネル２における透過光の明暗分布を相殺し、本来の表示（原信号による表示）を目視することと等価となる。
【００３８】
［液晶表示装置１の作用・効果］
続いて、本実施の形態の液晶表示装置１の作用および効果について説明する。
【００３９】
（１．部分発光動作の概要）
この液晶表示装置１では、図１に示したように、まず、映像信号処理部４１が入力映像信号Ｄinに対して所定の画像処理を行うことにより、映像信号Ｄ１を生成する。次に、部分駆動化処理部４２は、この映像信号Ｄ１に対して所定の部分駆動化処理を行う。これにより、バックライト３における部分発光領域３６単位での発光パターンを示す発光パターン信号ＢＬ１と、部分駆動用映像信号Ｄ４とが、それぞれ生成される。
【００４０】
次いで、このようにして生成された部分駆動用映像信号Ｄ４および発光パターン信号ＢＬ１はそれぞれ、タイミング制御部４３へ入力される。このうち、部分駆動用映像信号Ｄ４は、タイミング制御部４３からデータドライバ５１へ供給される。データドライバ５１は、この部分駆動用映像信号Ｄ４に対してＤ／Ａ変換を施し、アナログ信号である映像電圧を生成する。そして、ゲートドライバ５２およびデータドライバ５１から出力される各画素２０への駆動電圧によって表示駆動動作がなされる。これにより、部分駆動用映像信号Ｄ４に基づく表示駆動が、液晶表示パネル２内の各画素２０に対してなされる。
【００４１】
具体的には、図２に示したように、ゲートドライバ５２からゲート線Ｇを介して供給される選択信号に応じて、ＴＦＴ素子２１のオン・オフ動作が切り替えられる。これにより、データ線Ｄと液晶素子２２および補助容量素子２３との間が選択的に導通される。その結果、データドライバ５１から供給される部分駆動用映像信号Ｄ４に基づく映像電圧が液晶素子２２へと供給され、線順次の表示駆動動作がなされる。
【００４２】
一方、発光パターン信号ＢＬ１は、タイミング制御部４３からバックライト駆動部５０へ供給される。バックライト駆動部５０は、この発光パターン信号ＢＬ１に基づいて、バックライト３内の各光源３１，３２に対する発光駆動（部分駆動動作）を行う。これによりバックライト３では、導光板３０の側面側に配設された複数の光源３１，３１によって、互いに独立して制御可能な複数の部分発光領域３６が、光出射面上に形成される。
【００４３】
このとき、映像電圧が供給された画素２０では、バックライト３からの照明光が液晶表示パネル２において変調され、表示光として出射される。これにより、入力映像信号Ｄinに基づく映像表示が、液晶表示装置１において行われる。
【００４４】
具体的には、例えば図６に示したように、バックライト３の各部分発光領域３６による発光面イメージ７１と、表示パネル２単独によるパネル面イメージ７２とが物理的に重ね合わせられた（掛け算的に合成された）合成イメージ７３が、液晶表示装置１全体として最終的に観察される映像となる。
【００４５】
（２．エッジライト型のバックライトに適合した部分発光動作）
次に、図７〜図１２を参照して、本発明の特徴的部分の１つである、エッジライト型のバックライト３に適合した部分発光動作について、比較例と比較しつつ詳細に説明する。
【００４６】
（２−１．比較例の部分発光動作）
図７は、比較例（比較例１〜３）に係る液晶表示装置における部分駆動化処理部（部分駆動化処理部１０４）のブロック構成を表したものである。この比較例１〜３に係る部分駆動化処理部１０４は、図５に示した本実施の形態の部分駆動化処理部４２において、低解像度化処理部４２２の代わりに、以下説明する低解像度化処理部１０２を備えたものとなっている。すなわち、この比較例は、エッジライト型のバックライトを用いた液晶表示装置において、従来のバックライトにおける部分発光動作をそのまま適用した場合に相当している。
【００４７】
この部分駆動化処理部１０４では、まず、低解像度化処理部１０２において、映像信号Ｄ１に対して以下説明する低解像度化処理を行い、映像信号Ｄ１０３を生成する。次いで、ＢＬレベル算出部４２３がこの映像信号Ｄ１０３に基づいて、部分発光領域３６単位での発光パターンを示す発光パターン信号ＢＬ１０１を生成する。また、拡散部４２４では、ＢＬレベル算出部４２３から出力される発光パターン信号ＢＬ１０１に対して拡散処理を行い、拡散処理後の発光パターン信号ＢＬ１０２をＬＣＤレベル算出部４２５へ出力する。そして、ＬＣＤレベル算出部４２５は、映像信号Ｄ１と、拡散処理後の発光パターン信号ＢＬ１０２とに基づいて、部分駆動用映像信号Ｄ１０４を生成する。具体的には、ＬＣＤレベル算出部４２５は、本実施の形態と同様にして以下の（２）式を用いることにより、映像信号Ｄ１０４を生成する。
Ｄ１０４＝（Ｄ１／ＢＬ１０２）  ……（２）
【００４８】
（比較例１〜３）
ここで、図８（Ａ），（Ｂ）に示した比較例１では、本実施の形態のバックライト３とは異なり、例えば図８（Ａ）に示したように、バックライト１０３がいわゆる直下型のものとなっている。すなわち、光出射面における各部分発光領域３６内に、光源１０１が配設されている。したがって、この比較例１における部分発光動作の際には、例えば図８（Ｂ）に示したように、発光対象となる部分発光領域３６内の光源１０１のみが発光することになる。具体的には、この例では、全体的に暗い（グレーレベルの）背景内に、小さな明るい物体が１つ（図中の符号Ｗ１０１参照）存在している静止映像であることから、この物体の画素位置に対応する部分発光領域３６内の光源１０１のみが発光する。
【００４９】
一方、図９（Ａ）に示した比較例２および図９（Ｂ）に示した比較例３では、本実施の形態のバックライト３と同様に、バックライト２０３，３０３がそれぞれ、いわゆるエッジライト型のものとなっている。ただし、図３に示した本実施の形態のバックライト３とは異なり、図９（Ａ）に示した比較例２のバックライト２０３では、導光板３０におけるＸ軸方向に沿った側面側の光源３１のみが配設されている。また、図９（Ｂ）に示した比較例３のバックライト３０３では、導光板３０におけるＹ軸方向に沿った側面側の光源３２のみが配設されている。
【００５０】
これらの比較例２，３においても、上記比較例１と同様に、部分発光動作の際には例えば図９（Ａ），（Ｂ）にそれぞれ示したように、発光対象となる部分発光領域３６に対応する光源３１または光源３２のみが発光することになる。具体的には、比較例２では、符号Ｗ２０１で示した物体の画素位置に対応する部分発光領域３６を形成するための光源３１（図中の斜線で示した光源３１）のみが発光する。同様に、比較例３においても、符号Ｗ３０１で示した物体の画素位置に対応する部分発光領域３６を形成するための光源３１（図中の斜線で示した光源３１）のみが発光する。
【００５１】
ここで、このような比較例１〜３における部分発光動作の際、図７に示した低解像度化処理部１０２では、映像信号Ｄ１に対して以下のようにして低解像度化処理を行い、映像信号Ｄ１０３を生成している。
【００５２】
具体的には、まず比較例１では、例えば図１０（Ａ）に示したように、特徴量抽出部４２２Ａにおいて、各部分発光領域３６（３６Ａ，３６Ｂ，３６Ｃ，…）内の映像信号Ｄ１における複数の画素信号（Ｄ１Ａ，Ｄ１Ｂ，…）から、所定の特徴量をそれぞれ抽出する。この所定の抽出量としては、例えば、輝度レベルの最大値や平均値、それらの合成値などが挙げられる。詳細には、特徴量抽出部４２２Ａは、部分発光領域３６Ａ（部分照射領域２６Ａ）内の各画素信号Ｄ１Ａから特徴量を抽出することにより、低解像度化信号としての映像信号Ｄ１０３Ａを生成する。同様に、部分発光領域３６Ｂ，３６Ｃ，…（部分照射領域２６Ｂ，２６Ｃ，…）内の各画素信号Ｄ１Ｂ，Ｄ１Ｃ，…から、特徴量を個別に抽出することにより、低解像度化信号としての映像信号Ｄ１０３Ｂ，Ｄ１０３Ｃ，…を生成する。このようにして低解像度化処理部１０２において、実際に用いられる各部分発光領域３６に対応する映像信号Ｄ１０３Ａ，Ｄ１０３Ｂ，Ｄ１０３Ｃ，…がそれぞれ生成され、映像信号Ｄ１０３として出力される。
【００５３】
また、比較例２においても同様に、例えば図１０（Ｂ）に示したようにして、特徴量抽出部４２２Ａにおいて、各部分発光領域３６（３６Ａ，３６Ｂ，３６Ｃ，…）内の映像信号Ｄ１における複数の画素信号（Ｄ１Ａ，Ｄ１Ｂ，…）から、所定の特徴量をそれぞれ抽出する。これにより比較例２においても、低解像度化処理部１０２において、実際に用いられる各部分発光領域３６に対応する映像信号Ｄ１０３Ａ，Ｄ１０３Ｂ，Ｄ１０３Ｃ，…がそれぞれ生成され、映像信号Ｄ１０３として出力される。
【００５４】
更に、比較例３においても基本的には同様に、例えば図１０（Ｃ）に示したようにして、特徴量抽出部４２２Ｂにおいて、各部分発光領域３６（３６Ｐ，３６Ｑ，３６Ｒ，…）内の映像信号Ｄ１における複数の画素信号（Ｄ１Ｐ，Ｄ１Ｑ，…）から、所定の特徴量をそれぞれ抽出する。詳細には、特徴量抽出部４２２Ｂは、部分発光領域３６Ｐ（部分照射領域２６Ｐ）内の各画素信号Ｄ１Ｐから特徴量を抽出することにより、低解像度化信号としての映像信号Ｄ１０３Ｐを生成する。同様に、部分発光領域３６Ｑ，３６Ｒ，…（部分照射領域２６Ｑ，２６Ｒ，…）内の各画素信号Ｄ１Ｑ，Ｄ１Ｒ，…から、特徴量を個別に抽出することにより、低解像度化信号としての映像信号Ｄ１０３Ｑ，Ｄ１０３Ｒ，…を生成する。これにより比較例３においても、低解像度化処理部１０２において、実際に用いられる各部分発光領域３６に対応する映像信号Ｄ１０３Ｐ，Ｄ１０３Ｑ，Ｄ１０３Ｒ，…がそれぞれ生成され、映像信号Ｄ１０３として出力される。
【００５５】
ところが、このような比較例１〜３の部分発光動作では、上記したように、低解像度化処理部１０２において、実際に用いられる各部分発光領域３６に対応する映像信号のみをそれぞれ生成し、映像信号Ｄ１０３として出力している。換言すると、図８（Ｂ），図９（Ａ），図９（Ｂ）にそれぞれ示したように、（明るい）物体の画素位置に対応する部分発光領域３６を形成するための光源（光源１０１、光源３１または光源３２）のみが発光する。
【００５６】
このため、比較例１（直下型のバックライト１０３）と比べてバックライトの薄型化を図るため、比較例２，３のようにエッジライト型のバックライト２０３，３０３を採用した場合、部分発光動作を行った際に、光源３１または光源３２からの距離に応じて、光出射面において輝度減少が生じる。例えば、光源３１または光源３２から遠い位置である光出射面の中央部（センター）付近および対面側において、光源３１，３２の近傍と比べて発光輝度が低くなってしまう（光源３１，３２からの距離が大きくなるのに従って、発光輝度が徐々に低くなる）。これは、これらの比較例２，３では、各部分発光部３６に対応する１つの側面側の光源３１または光源３２のみが発光することにより部分発光部３６が形成されるようになっているためである（図９（Ａ），（Ｂ）参照）。このような光源３１または光源３２からの距離に応じた輝度減少が生じると、表示画面内に表示輝度むらが発生してしまい、表示画質の低下を招くことになる。
【００５７】
（２−２．本実施の形態の部分発光動作）
これに対して、本実施の形態の部分駆動化処理部４２では、例えば図１１に示したように、エッジライト型のバックライト３において、以下のようにして部分発光動作がなされるように、発光パターン信号ＢＬ１および部分駆動用映像信号Ｄ４をそれぞれ生成している。すなわち、導光板３０におけるＸ軸方向の側面側の光源３１と、Ｙ軸方向の側面側の光源３２とがともに発光して部分発光動作がなされるようにしている。具体的には、この例では、符号Ｗ１で示した物体の画素位置に対応する部分発光領域３６を形成する際に、Ｘ軸方向の側面側の光源３１Ａと、Ｙ軸方向の側面側の光源３２Ａとがともに発光するようになっている。以下、このような本実施の形態の部分発光動作について、詳細に説明する。
【００５８】
本実施の形態では、部分駆動化処理部４２内の低解像度化処理部４２２において、例えば図１２に示したようにして、映像信号Ｄ１に対して低解像度化処理を行い、映像信号Ｄ３（Ｄ３ｘ，Ｄ３ｙ）を生成している。
【００５９】
すなわち、まず、低解像度化処理部４２２は、光源３１のみを用いてＸ軸方向（光源３１の配列方向）に沿った複数の部分発光領域３６（３６Ａ，３６Ｂ，３６Ｃ，…）が形成される場合を想定して、映像信号Ｄ１に基づいて映像信号Ｄ３ｘを生成する。詳細には、特徴量抽出部４２２Ａは、部分発光領域３６Ａ（部分照射領域２６Ａ）内の各画素信号Ｄ１Ａから特徴量を抽出することにより、低解像度化信号としての映像信号Ｄ３Ａを生成する。同様に、部分発光領域３６Ｂ，３６Ｃ，…（部分照射領域２６Ｂ，２６Ｃ，…）内の各画素信号Ｄ１Ｂ，Ｄ１Ｃ，…から、特徴量を個別に抽出することにより、低解像度化信号としての映像信号Ｄ３Ｂ，Ｄ３Ｃ，…を生成する。これにより、低解像度化処理部４２２において、仮想的な部分発光領域３６Ａ，３６Ｂ，３６Ｃ，…に対応する映像信号Ｄ３Ａ，Ｄ３Ｂ，Ｄ３Ｃ，…がそれぞれ生成され、（Ｘ軸方向の側面側の光源３１用の）光源映像信号Ｄ３ｘとして出力される。
【００６０】
また、それと並行して低解像度化処理部４２２は、光源３２のみを用いてＹ軸方向（光源３２の配列方向）に沿った複数の部分発光領域３６（３６Ｐ，３６Ｑ，３６Ｒ，…）が形成される場合を想定して、映像信号Ｄ１に基づいて映像信号Ｄ３ｙを生成する。詳細には、特徴量抽出部４２２Ｂは、部分発光領域３６Ｐ（部分照射領域２６Ｐ）内の各画素信号Ｄ１Ｐから特徴量を抽出することにより、低解像度化信号としての映像信号Ｄ３Ｐを生成する。同様に、部分発光領域３６Ｑ，３６Ｒ，…（部分照射領域２６Ｑ，２６Ｒ，…）内の各画素信号Ｄ１Ｑ，Ｄ１Ｒ，…から、特徴量を個別に抽出することにより、低解像度化信号としての映像信号Ｄ３Ｑ，Ｄ３Ｒ，…を生成する。これにより、低解像度化処理部４２２において、仮想的な部分発光領域３６Ｐ，３６Ｑ，３６Ｒ，…に対応する映像信号Ｄ３Ｐ，Ｄ３Ｑ，Ｄ３Ｒ，…がそれぞれ生成され、（Ｙ軸方向の側面側の光源３２用の）映像信号Ｄ３ｙとして出力される。
【００６１】
次いで、ＢＬレベル算出部４２３では、このようにして生成された２種類の映像信号Ｄ３ｘ，Ｄ３ｙの双方を用いて、発光パターン信号ＢＬ１を生成する。また、これらの映像信号Ｄ３ｘ，Ｄ３ｙに基づいて求められた発光パターン信号ＢＬ１を用いて、拡散部４２４が発光パターン信号ＢＬ２を生成すると共に、ＬＣＤレベル算出部４２５が部分駆動用映像信号Ｄ４を生成する。そして、これらの発光パターン信号ＢＬ１および部分駆動用映像信号Ｄ４に基づいて、部分発光動作および表示動作がなされる。
【００６２】
すなわち、例えば前述した図１１のように、導光板３０におけるＸ軸方向の側面側の光源３１のうちの少なくとも１つと、Ｙ軸方向の側面側の光源３２のうちの少なくとも１つとがともに発光することによって部分発光領域３６が形成されるように、部分発光動作がなされる。これにより本実施の形態では、エッジライト型のバックライトにおいて、各部分発光領域３６に対応する１つの側面側の光源のみが発光することにより部分発光領域３６が形成される場合（上記比較例２，３）と比べ、光出射面における光源３１，３２からの距離に応じた輝度減少が低減され、その結果、表示画面内の表示輝度むらが抑えられる。
【００６３】
以上のように本実施の形態では、部分発光動作を行うエッジライト型のバックライト３を用いた映像表示の際に、導光板３０の２対の側面のうち、Ｘ軸方向の側面側の光源３１のうちの少なくとも１つと、Ｙ軸方向の側面側の光源３２のうちの少なくとも１つとがともに発光することによって部分発光領域３６が形成されるように発光駆動を行うようにしたので、バックライト３の光出射面における光源３１，３２からの距離に応じた輝度減少を低減し、表示画面内の表示輝度むらを抑えることができる。よって、部分発光動作を行うエッジライト型のバックライトを用いて映像表示を行う際に、表示画質を向上させることが可能となる。
【００６４】
また、上記のように、表示画面内の表示輝度むらを抑えることができることから、エッジライト型のバックライト３を用いた液晶表示装置１において、液晶表示パネル２の大型化（大画面化）を図った場合においても、画質低下を最小限に抑えつつ部分発光動作を適用することができるようになり、低消費電力化および高コントラスト化を図ることが可能となる。
【００６５】
＜変形例＞
続いて、上記実施の形態の変形例について説明する。なお、実施の形態と同一の構成要素については同一符号を付してその説明を適宜省略する。
【００６６】
図１３は、変形例に係る部分発光動作の一例を模式的に表したものである。本変形例は、バックライト３の導光板３０において対向する１対の側面側の光源（光源３１または光源３２）の双方を考慮して、低解像度化信号としての映像信号Ｄ３ｘ，Ｄ３ｙをそれぞれ生成するようにしたものである。
【００６７】
具体的には、本変形例では例えば図１３に示したように、部分駆動化処理部４２において、Ｘ軸方向の各側面側の光源３１がともに発光すると共に、Ｙ軸方向の各側面側の光源３２がともに発光することによって、部分発光領域３６が形成されるように発光駆動を行う。
【００６８】
詳細には、本変形例の低解像度化処理部４２２−１は、例えば図１４に示したようにして、映像信号Ｄ１に対して低解像度化処理を行い、映像信号Ｄ３（Ｄ３ｘ，Ｄ３ｙ）を生成する。すなわち、低解像度化処理部４２２−１は、図１２に示した実施の形態の低解像度化処理部４２２において、以下説明する組み合わせ回路４２２ＣおよびＭＡＸ回路４２２Ｄ，４２２Ｅを更に備えたものとなっている。
【００６９】
組み合わせ回路４２２Ｃは、特徴量抽出部４２２Ａから出力される映像信号Ｄ３Ａ，Ｄ３Ｂ，Ｄ３Ｃ，…と、特徴量抽出部４２２Ｂから出力される映像信号Ｄ３Ｐ，Ｄ３Ｑ，Ｄ３Ｒ，…との双方に基づいて、これらに対して所定の組み合わせ論理処理を行うものである。この組み合わせ論理処理は、例えば、映像信号Ｄ３Ａおよび映像信号Ｄ３Ｐの画面内での位置および信号レベルの大きさに基づいて、Ｘ軸に対称な位置での信号レベルの大きさと、Ｙ軸に対称な位置での信号レベルの大きさとを求める処理である。具体的には、例えば映像信号Ｄ３Ａと映像信号Ｄ３Ｐとの交点がＸ軸に近い場合、Ｘ軸に対称な位置の信号レベルが大きくなるように算出される。一方、例えばこれらの交点がＹ軸に近い場合、Ｙ軸に対称な位置の信号レベルが大きくなるように算出される。このようにして、映像信号Ｄ３Ａ，Ｄ３Ｂ，Ｄ３Ｃ，…の各々の対向側の部分発光領域３６Ｅ，３６Ｆ，３６Ｇ，…（部分照射領域２６Ｅ，２６Ｆ，２６Ｇ，…）に対応する映像信号Ｄ２Ｅ，Ｄ２Ｆ，Ｄ２Ｇ，…がそれぞれ生成される。また、映像信号Ｄ３Ｐ，Ｄ３Ｑ，Ｄ３Ｒ，…の各々の対向側の部分発光領域３６Ｔ，３６Ｕ，３６Ｖ，…（部分照射領域２６Ｔ，２６Ｕ，２６Ｖ，…）に対応する映像信号Ｄ２Ｔ，Ｄ２Ｕ，Ｄ２Ｖ，…がそれぞれ生成される。
【００７０】
ＭＡＸ回路４２２Ｄは、特徴量抽出部４２２Ａから出力される映像信号Ｄ３Ａ，Ｄ３Ｂ，Ｄ３Ｃ，…と、組み合わせ回路４２２Ｃから出力される映像信号Ｄ２Ｅ，Ｄ２Ｆ，Ｄ２Ｇ，…とに基づいて、低解像度化信号としての映像信号Ｄ３ｘを生成するものである。具体的には、映像信号Ｄ３Ａおよび映像信号Ｄ２Ｅ同士，映像信号Ｄ３Ｂおよび映像信号Ｄ２Ｆ同士，…について個別に輝度レベルを比較する。そして、所定の閾値以上の輝度レベルである場合には、輝度レベルが高いほうの映像信号を選択し、映像信号Ｄ３ｘとして出力する。一方、上記閾値以下の輝度ベルの場合には、双方の映像信号を映像信号Ｄ３ｘとして出力する。なお、この場合には、Ｘ軸を挟んで向かい合う１対（上下）の部分発光領域３６（例えば、部分発光領域３６Ａ，３６Ｅ）がともに点灯することになる。
【００７１】
ＭＡＸ回路４２２Ｅも同様に、特徴量抽出部４２２Ｂから出力される映像信号Ｄ３Ｐ，Ｄ３Ｑ，Ｄ３Ｒ，…と、組み合わせ回路４２２Ｃから出力される映像信号Ｄ２Ｔ，Ｄ２Ｕ，Ｄ２Ｖ，…とに基づいて、低解像度化信号としての映像信号Ｄ３ｙを生成するものである。具体的には、映像信号Ｄ３Ｐおよび映像信号Ｄ２Ｔ同士，映像信号Ｄ３Ｑおよび映像信号Ｄ２Ｕ同士，…について個別に輝度レベルを比較する。そして、所定の閾値以上の輝度レベルである場合には、輝度レベルが高いほうの映像信号を選択し、映像信号Ｄ３ｙとして出力する。一方、上記閾値以下の輝度ベルの場合には、双方の映像信号を映像信号Ｄ３ｙとして出力する。なお、この場合には、Ｙ軸を挟んで向かい合う１対（左右）の部分発光領域３６（例えば、部分発光領域３６Ｐ，３６Ｔ）がともに点灯することになる。
【００７２】
このような構成により本変形例では、上記実施の形態における効果に加え、表示画面内の表示輝度むらを更に抑えることが可能となり、表示画面の大型化により有利なものとすることができる。
【００７３】
（その他の変形例）
以上、実施の形態および変形例を挙げて本発明を説明したが、本発明はこれらの実施の形態等に限定されず、種々の変形が可能である。
【００７４】
例えば、上記実施の形態等では、バックライトが、光源として赤色ＬＥＤ、緑色ＬＥＤおよび青色ＬＥＤを含んで構成されている場合について説明したが、これらに加えて（またはこれらに代えて）、他の色光を発する光源を含んで構成するようにしてもよい。例えば、４色以上の色光によって構成した場合、色再現範囲を拡大し、より多彩な色を表現することが可能となる。
【００７５】
また、上記実施の形態等では、図３に示したように、光源３１が、導光板３０におけるＸ軸方向の各側面側に配設されると共に、光源３２が、Ｙ軸方向の各側面側に配設されている場合について説明したが、本発明が適用されるのはこの場合には限られない。すなわち、例えば図１５（Ａ），（Ｂ）に示したバックライト３Ａのように、光源３１が、導光板３０におけるＸ軸方向の２つの側面の一方側にのみ配設されると共に、光源３２が、Ｙ軸方向の２つの側面の一方側にのみ配設されている場合についても、本発明を適用することが可能である。
【００７６】
更に、上記実施の形態等において説明した一連の処理は、ハードウェアにより行うこともできるし、ソフトウェアにより行うこともできる。一連の処理をソフトウェアによって行う場合には、そのソフトウェアを構成するプログラムが、汎用のコンピュータ等にインストールされるようになっている。このようなプログラムは、コンピュータに内蔵されている記録媒体に予め記録してさせておくようにしてもよい。
【符号の説明】
【００７７】
１…液晶表示装置、２…液晶表示パネル、２０…画素、２１…ＴＦＴ素子、２２…液晶素子、２３…補助容量素子、２６，２６Ａ〜２６Ｈ，２６Ｐ〜２６Ｗ，２６ｘ，２６ｙ…部分照射領域、３，３Ａ…バックライト、３０…導光板、３１，３１Ａ，３１Ｂ，３２，３２Ａ，３２Ｂ…光源、３６，３６Ａ〜３６Ｈ，３６Ｐ〜３６Ｗ，３６ｘ，３６ｙ…部分発光領域、４１…映像信号処理部、４２…部分駆動化処理部、４２２，４２２−１…低解像度化処理部、４２２Ａ，４２２Ｂ…特徴量抽出部、４２２Ｃ…組み合わせ回路、４２２Ｄ，４２２Ｅ…ＭＡＸ回路、４２３…ＢＬレベル算出部、４２４…拡散部、４２５…ＬＣＤレベル算出部、４３…タイミング制御部、５０…バックライト駆動部、５１…データドライバ、５２…ゲートドライバ、７１…発光面イメージ、７２…パネル面イメージ、７３…合成イメージ、Ｄin…入力映像信号、Ｄ１，Ｄ２…映像信号、Ｄ３，Ｄ３ｘ，Ｄ３ｙ…映像信号（低解像度化信号）、Ｄ４…部分駆動用映像信号、ＢＬ１，ＢＬ２…発光パターン信号、Ｄ…データ線、Ｇ…ゲート線、Ｃｓ…補助容量線。
【図１】
2011203323.tif 000003
【図２】
2011203323.tif 000004
【図３】
2011203323.tif 000005
【図４】
2011203323.tif 000006
【図５】
2011203323.tif 000007
【図６】
2011203323.tif 000008
【図７】
2011203323.tif 000009
【図８】
2011203323.tif 000010
【図９】
2011203323.tif 000011
【図１０】
2011203323.tif 000012
【図１１】
2011203323.tif 000013
【図１２】
2011203323.tif 000014
【図１３】
2011203323.tif 000015
【図１４】
2011203323.tif 000016
【図１５】
2011203323.tif 000017